(57)【要約】【課題】吊り下げる対象物の大きさに合わせて、サイズを調節することが可能なハンガーを提供する。【解決手段】一対の支持部材１１１、１１２の間に支持された第三棒状部材１４１及び第四棒状部材１４２の各々は「入れ子式」の構造を有する二つの部材からなり、これら二つの部材は相互に伸縮可能になっている。さらに、これら二つの部材が相互に伸縮する際には、第一棒状部材１２１及び第二棒状部材１２２が棒状部材支持用ブロック１３０に対してスライドする。これらの第三棒状部材１４１、第四棒状部材１４２、第一棒状部材１２１及び第二棒状部材１２２の動きによって、一対の支持部材１１１、１１２が相互に離れたり、あるいは、近づく方向に移動する。【選択図】図２
0003138138.tif 000002
【実用新案登録請求の範囲】
【請求項１】
相互に対向する第一支持部材及び第二支持部材と、
一端が前記第一支持部材に固定され、他端が前記第二支持部材に向かって延び、自由端となっている第一棒状部材と、
一端が前記第二支持部材に固定され、他端が前記第一支持部材に向かって延び、自由端となっている第二棒状部材と、
前記第一支持部材及び前記第二支持部材の間に配置され、前記第一支持部材から前記第二支持部材に向かう方向に延びている棒状部材支持用ブロックと、
前記棒状部材支持用ブロックの下方において、前記第一支持部材及び前記第二支持部材の間に同一面内において相互に平行に配置された第三棒状部材及び第四棒状部材と、
からなり、
前記棒状部材支持用ブロックには、前記第一支持部材から前記第二支持部材に向かう方向において相互に隔置され、かつ、下方に突出した一対の突出部が形成されており、
前記突出部の各々には、前記第一支持部材から前記第二支持部材に向かう方向において、前記第一棒状部材及び前記第二棒状部材の各々が嵌合可能な貫通孔が同一直線上に中心を有するように形成されており、
前記第一棒状部材及び前記第二棒状部材の各々はスライド可能に前記貫通孔の各々に嵌合しており、
前記棒状部材支持用ブロックには上方に向かってフック部材が取り付けられており、
前記第三棒状部材及び前記第四棒状部材の各々は、第一部材と、前記第一部材に対して伸縮可能な第二部材とからなり、
前記第二部材は、その一端において、前記第二支持部材に前記一端を中心として水平面内において回動自在に支持され、
前記第一部材は、その一端において、前記第一支持部材に取り外し自在に支持されているハンガー。
【請求項２】
前記第一棒状部材及び前記第二棒状部材の各々の前記他端には前記貫通孔を通過不能な突起が形成されていることを特徴とする請求項１に記載のハンガー。
【考案の詳細な説明】
【技術分野】
【０００１】
本考案はハンガーに関する。
【背景技術】
【０００２】
従来のハンガーは大きさが決まっており、用途に合わせて、適当な大きさのハンガーを用いていた。例えば、吊り下げる対象物（衣服あるいは洗濯物など）が小さい場合には小さいハンガーを、吊り下げる対象物が大きい場合には大きいハンガーを使用していた。
【考案の開示】
【考案が解決しようとする課題】
【０００３】
このため、従来は、数種類の大きさのハンガーを用意しなければならず、非効率的であった。
【０００４】
本考案は以上のような問題点に鑑みてなされたものであり、吊り下げる対象物の大きさに合わせて、サイズを調節することが可能なハンガーを提供することを目的とする。
【課題を解決するための手段】
【０００５】
以下に、「考案の実施の形態」において使用される参照符号を用いて、上述の課題を解決するための手段を説明する。これらの参照符号は、「実用新案登録請求の範囲」の記載と「考案の実施の形態」の記載との間の対応関係を明らかにするためにのみ付加されたものであり、「実用新案登録請求の範囲」に記載されている考案の技術的範囲の解釈に用いるべきものではない。
【０００６】
上記の目的を達成するため、本考案は、相互に対向する第一支持部材（１１１）及び第二支持部材（１１２）と、一端が前記第一支持部材（１１１）に固定され、他端が前記第二支持部材（１１２）に向かって延び、自由端となっている第一棒状部材（１２１）と、一端が前記第二支持部材（１１２）に固定され、他端が前記第一支持部材（１１１）に向かって延び、自由端となっている第二棒状部材（１２２）と、前記第一支持部材（１１１）及び前記第二支持部材（１１２）の間に配置され、前記第一支持部材（１１１）から前記第二支持部材（１１２）に向かう方向に延びている棒状部材支持用ブロック（１３０）と、前記棒状部材支持用ブロック（１３０）の下方において、前記第一支持部材（１１１）及び前記第二支持部材（１１２）の間に同一面内において相互に平行に配置された第三棒状部材（１４１）及び第四棒状部材（１４２）と、からなり、前記棒状部材支持用ブロック（１３０）には、前記第一支持部材（１１１）から前記第二支持部材（１１２）に向かう方向において相互に隔置され、かつ、下方に突出した一対の突出部（１３１、１３２）が形成されており、前記突出部（１３１、１３２）の各々には、前記第一支持部材（１１１）から前記第二支持部材（１１２）に向かう方向において、前記第一棒状部材（１２１）及び前記第二棒状部材（１２２）の各々が嵌合可能な貫通孔（１３３、１３４）が同一直線上に中心を有するように形成されており、前記第一棒状部材（１２１）及び前記第二棒状部材（１２２）の各々はスライド可能に前記貫通孔（１３３、１３４）の各々に嵌合しており、前記棒状部材支持用ブロック（１３９）には上方に向かってフック部材（１５０）が取り付けられており、前記第三棒状部材（１４１）及び前記第四棒状部材（１４２）の各々は、第一部材（１４３）と、前記第一部材（１４３）に対して伸縮可能な第二部材（１４４）とからなり、前記第二部材（１４４）は、その一端において、前記第二支持部材（１１２）に前記一端を中心として水平面内において回動自在に支持され、前記第一部材（１４３）は、その一端（１４６）において、前記第一支持部材（１１１）に取り外し自在に支持されているハンガー（１００）を提供する。
【０００７】
前記第一棒状部材（１２１）及び前記第二棒状部材（１２２）の各々の前記他端には前記貫通孔（１３３、１３４）を通過不能な突起（１２３、１２４）が形成されていることが好ましい。
【考案の効果】
【０００８】
本考案に係るハンガーは、全長が比較的短い第一の状態と、全長が比較的長い第二の状態とを取ることができる。
【０００９】
第一棒状部材及び第二棒状部材をスライドさせない状態、すなわち、棒状部材支持用ブロックの両端に第一支持部材及び第二支持部材が接触している状態であって、かつ、第三棒状部材及び第四棒状部材を構成する第二部材が第一部材に対して延びていない状態の場合には、本考案に係るハンガーは、全長が比較的短い第一の状態にある。
【００１０】
これに対して、第一棒状部材及び第二棒状部材を、第一支持部材及び第二支持部材が棒状部材支持用ブロックから離れる方向に、スライドさせることにより、さらに、第三棒状部材及び第四棒状部材を構成する第二部材を第一部材から引き延ばすことにより、本考案に係るハンガーは、全長が比較的長い第二の状態に移行する。
【００１１】
さらに、本考案に係るハンガーは、上記の第一の状態及び第二の状態とは独立に、第一部材が第一支持部材に係合している第三の状態と、第一部材が第一支持部材から外れている第四の状態と、を取ることができる。
【００１２】
すなわち、本考案に係るハンガーが第一の状態及び第二の状態の何れの状態にあっても、第一部材は第一支持部材に係合していることが可能である。
【００１３】
また、本考案に係るハンガーが第一の状態及び第二の状態の何れの状態にあっても、第一部材を第一支持部材から外した状態にしておくことが可能である。この場合、第三棒状部材及び第四棒状部材の何れか一方あるいは双方の第一部材を第一支持部材から外した状態にしておくことが可能である。
【００１４】
以上のように、本考案に係るハンガーによれば、ハンガーに吊るす対象物（衣類や洗濯物など）の大きさに応じて、ハンガーの第一棒状部材及び第二棒状部材並びに第二部材をスライドさせ、第一の状態もしくは第二の状態、または、第一の状態と第二の状態との中間の状態にハンガーを設定することにより、様々な大きさのハンガーを用意することなく、一つのハンガーだけで様々な大きさの対象物を吊るすことが可能である。
【００１５】
さらに、必要な場合には、第三棒状部材及び第四棒状部材の各第一部材を第一支持部材からとり外すことにより、第三棒状部材及び第四棒状部材に対象物を吊るすことが容易になる。
【考案を実施するための最良の形態】
【００１６】
図１は本考案の一実施形態に係るハンガー１００の正面図、図２はハンガー１００の斜視図、図３はハンガー１００の使用状態の一例を示す斜視図である。
【００１７】
図１及び図２に示すように、本実施形態に係るハンガー１００は、相互に対向する一対の第一支持部材１１１及び第二支持部材１１２と、一端が第一支持部材１１１に固定され、他端が第二支持部材１１２に向かって延び、自由端となっている第一棒状部材１２１と、一端が第二支持部材１１２に固定され、他端が第一支持部材１１１に向かって延び、自由端となっている第二棒状部材１２２と、第一支持部材１１１と第二支持部材１１２との間に配置された棒状部材支持用ブロック１３０と、棒状部材支持用ブロック１３０の下方において、第一支持部材１１１及び第二支持部材１１２の間に同一面（図１及び図２においては水平面）内において相互に平行に配置された第三棒状部材１４１及び第四棒状部材１４２（図２参照）と、から構成されている。
【００１８】
本実施形態に係るハンガー１００は、例えば、樹脂製である。
【００１９】
第一支持部材１１１と第二支持部材１１２とは同一形状を有している。第一支持部材１１１及び第二支持部材１１２は何れも鉛直面内において広がる大きさを有している。
【００２０】
図１に示すように、一端が第一支持部材１１１に固定されている第一棒状部材１２１と一端が第二支持部材１１２に固定されている第二棒状部材１２２とは、それらの軸心が一直線上にあるように、配置されている。
【００２１】
また、図１に示すように、第一棒状部材１２１と第二棒状部材１２２とは相互に等しい長さを有しており、第一棒状部材１２１の長さと第二棒状部材１２２の長さとの和は棒状部材支持用ブロック１３０の全長（第一支持部材１１１から第二支持部材１１２に向かう方向における長さ）よりも僅かに小さい。
【００２２】
棒状部材支持用ブロック１３０は、図１及び図２に示すように、第一支持部材１１１から第二支持部材１１２に向かう方向に延びている。すなわち、棒状部材支持用ブロック１３０は第一支持部材１１１から第二支持部材１１２に向かう方向における長さを有している。
【００２３】
図１及び図２に示すように、棒状部材支持用ブロック１３０には、第一支持部材１１１から１１２第二支持部材に向かう方向において相互に隔置され、かつ、下方に突出した一対の突出部１３１、１３２が形成されている。
【００２４】
これらの突出部１３１、１３２の各々には、第一支持部材１１１から第二支持部材１１２に向かう方向において、第一棒状部材１２１及び第二棒状部材１２２がそれぞれ嵌合可能な貫通孔１３３、１３４が形成されている。これら二つの貫通孔１３３、１３４は同一直線上に中心を有するように形成されている。
【００２５】
第一棒状部材１２１は貫通孔１３３に、第二棒状部材１２２は貫通孔１３２にそれぞれスライド可能に嵌合している。このため、後述するように、第一棒状部材１２１及び第二棒状部材１２２がそれぞれ貫通孔１３３、１３４に沿ってスライドすることにより、第一支持部材１１１及び第二支持部材１１２は棒状部材支持用ブロック１３０から離れる方向に、あるいは、棒状部材支持用ブロック１３０に近づく方向に移動する。
【００２６】
第一棒状部材１２１及び第二棒状部材１２２の先端近辺には、貫通孔１３３、１３４を通過できない突起１２３、１２４がストッパーとして形成されており、突起１２３、１２４が貫通孔１３３、１３４に到達すると、第一棒状部材１２１及び第二棒状部材１２２のスライドは停止する。
【００２７】
図１に示すように、棒状部材支持用ブロック１３０には上方に向かって延びるフック部材１５０が取り付けられている。
【００２８】
フック部材１５０は、一端において棒状部材支持用ブロック１３０に取り付けられた固定部材１５１と、固定部材１５１に対して回動中心点１５３を中心として回動可能に固定部材１５１に取り付けられた可動部材１５２とから構成されている。
【００２９】
固定部材１５１には先端側にＵ字型の凹部が形成されており、可動部材１５２はこの凹部状の領域をまたぐように回動する。このため、回動中心点１５３を中心として可動部材１５２を回動させることにより、固定部材１５１の凹部状の領域を開閉することができ、本実施形態に係るハンガー１００をフック部材１５０を介して他の物に吊るしたり、あるいは、他の物から取り外すことができる。
【００３０】
第三棒状部材１４１及び第四棒状部材１４２の各々は、第一部材１４３（図３参照）と、第一部材１４３に対して伸縮可能な第二部材１４４（図３参照）とから構成されている。
【００３１】
具体的には、第一部材１４３と第二部材１４４はいわゆる「入れ子式」の構造を有している。すなわち、第一部材１４３は中空の構造を有しており、第一部材１４３の内径は第二部材１４４の外径に等しい。このため、第二部材１４４が第一部材１４３の内部をスライドすることにより、第二部材１４４は第一部材１４３に対して伸縮可能であるようになっている。
【００３２】
第二部材１４４は、その一端において、第二支持部材１１２に当該一端を中心として水平面内において回動自在に支持されている。
【００３３】
具体的には、第二部材１４４の一端には、水平面内に広がるリングが形成されており、このリングにピン１４５を通し、ピン１４５が第二支持部材１１２に固定されている。このため、第二部材１４４はピン１４５を中心として水平面内において回動可能であるようになっている。
【００３４】
第一部材１４３は、その一端において、第一支持部材１１１に取り外し自在に支持されている。
【００３５】
具体的には、第一部材１４３の一端１４６は先細形状、すなわち、小径に形成されており、第一支持部材１１１には、外側に向いて開口しているＵ字型の挿入部１１３が形成されている。挿入部１１３は弾性材料からなり、挿入部１１３の開口は第一部材１４３の一端１４６に形成されている小径部分の直径よりも僅かに小さい。
【００３６】
このため、第一部材１４３の一端に形成されている小径部分を挿入部１１３の開口に押し入れることにより、第一部材１４３は第一支持部材１１１に対して支持される。逆に、第一部材１４３の一端に形成されている小径部分を挿入部１１３の開口から引き出すことにより、第一部材１４３は第一支持部材１１１から外れる。
【００３７】
以上のような構造を有する本実施形態に係るハンガー１００は以下のようにして使用される。
【００３８】
本実施形態に係るハンガー１００は、全長が比較的短い第一の状態と、全長が比較的長い第二の状態とを取ることができる。
【００３９】
第一棒状部材１２１及び第二棒状部材１２２をスライドさせない状態、すなわち、図１に示すように、棒状部材支持用ブロック１３０の両端に第一支持部材１１１及び第二支持部材１１２が接触している状態であって、かつ、第三棒状部材１４１及び第四棒状部材１４２を構成する第二部材１４４が第一部材１４３の内部に入り込んでいる状態の場合には、図１に示すように、本実施形態に係るハンガー１００は、全長が比較的短い第一の状態にある。
【００４０】
これに対して、ストッパー１２３、１２４が貫通孔１３３、１３４に到達するまで、第一棒状部材１２１及び第二棒状部材１２２を、第一支持部材１１１及び第二支持部材１１２が棒状部材支持用ブロック１３０から離れる方向に、スライドさせることにより、さらに、第三棒状部材１４１及び第四棒状部材１４２を構成する第二部材１４４を第一部材１４３から引き延ばすことにより、本実施形態に係るハンガー１００は、全長が比較的長い第二の状態に移行する。
【００４１】
さらに、本実施形態に係るハンガー１００は、上記の第一の状態及び第二の状態とは独立に、第一部材１４３が第一支持部材１１１に係合している第三の状態と、第一部材１４３が第一支持部材１１１から外れている第四の状態と、を取ることができる。
【００４２】
すなわち、本実施形態に係るハンガー１００が第一の状態及び第二の状態の何れの状態にあっても、第一部材１４３は第一支持部材１１１に係合していることが可能である。
【００４３】
また、本実施形態に係るハンガー１００が第一の状態及び第二の状態の何れの状態にあっても、第一部材１４３を第一支持部材１１１から外した状態にしておくことが可能である。この場合、第三棒状部材１４１及び第四棒状部材１４２の何れか一方あるいは双方の第一部材１４３を第一支持部材１１１から外した状態にしておくことが可能である。
【００４４】
例えば、図４は、本実施形態に係るハンガー１００において、第一棒状部材１２１及び第二棒状部材１２２がスライドし、第一支持部材１１１及び第二支持部材１１２が棒状部材支持用ブロック１３０から離れた状態にあり、かつ、第三棒状部材１４１の第一部材１４３が第一支持部材１１１から外れている状態を示している。すなわち、図４は、本実施形態に係るハンガー１００が第二の状態にあり、かつ、第四の状態にある状態を示している。
【００４５】
以上のように、本実施形態に係るハンガー１００によれば、ハンガー１００に吊るす対象物（衣類や洗濯物など）の大きさに応じて、ハンガー１００の第一棒状部材１２１及び第二棒状部材１２２並びに第二部材１４４をスライドさせ、第一の状態もしくは第二の状態、または、第一の状態と第二の状態との中間の状態にハンガー１００を設定することにより、様々な大きさのハンガーを用意することなく、一つのハンガーだけで様々な大きさの対象物を吊るすことが可能である。
【００４６】
さらに、必要な場合には、第三棒状部材１４１及び第四棒状部材１４２の各第一部材１４３を第一支持部材１１１から外すことにより、第三棒状部材１４１及び第四棒状部材１４２に対象物を吊るすことが容易になる。
【図面の簡単な説明】
【００４７】
【図１】本考案の一実施形態に係るハンガーの正面図である。
【図２】本考案の一実施形態に係るハンガーの斜視図である。
【図３】本考案の一実施形態に係るハンガーの使用状態の一例を示す斜視図である。
【符号の説明】
【００４８】
１００  本考案の一実施形態に係るハンガー
１１１  第一支持部材
１１２  第二支持部材
１１３  挿入部
１２１  第一棒状部材
１２２  第二棒状部材
１２３、１２４  突起
１３０  棒状部材支持用ブロック
１３１、１３２  突出部
１３３、１３４  貫通孔
１４１  第三棒状部材
１４２  第四棒状部材
１４３  第一部材
１４４  第二部材
１４５  ピン
１４６  第一部材の一端
１５０  フック部材
１５１  固定部材
１５２  可動部材
１５３  回動中心点
【図１】
0003138138.tif 000003
【図２】
0003138138.tif 000004
【図３】
0003138138.tif 000005